(57)【要約】【課題】製造が容易で、大量生産に適し、且つ、鉛を含有しない樹脂成形品用インサートナットを得る。【解決手段】本発明は、樹脂成形品にナットの端面を露出させて埋設される樹脂成形品用インサートナット１１であって、該インサートナット１１は亜鉛又は亜鉛合金を用いてダイカスト加工によって成形され、且つ、成形されたダイカスト成形品の内周部に雌ねじ１０が刻設されて製造される樹脂成形品用インサートナットの製造方法を提供する。【選択図】  図２
2004223535.tif 000002
【特許請求の範囲】
【請求項１】
樹脂成形品にナットの端面を露出させて埋設される樹脂成形品用インサートナットであって、該インサートナットは亜鉛又は亜鉛合金を用いてダイカスト加工によって成形され、且つ、成形されたダイカスト成形品の内周部に雌ねじが刻設されて製造されることを特徴とする樹脂成形品用インサートナットの製造方法。
【請求項２】
上記インサートナットはダイカスト加工によって外周面にローレット部が形成されることを特徴とする請求項１記載の樹脂成形品用インサートナットの製造方法。
【発明の詳細な説明】
【０００１】
【発明の属する技術分野】
この発明は、樹脂成形品用インサートナットの製造方法に関するものであり、特に、樹脂成形品にナットの端面を露出させて埋設される樹脂成形品用インサートナットであって、亜鉛又は亜鉛合金を用いてダイカスト加工によって製造される樹脂成形品用インサートナットの製造方法に関するものである。
【０００２】
【従来の技術および発明が解決しようとする課題】
従来の此種樹脂成形品用インサートナットとして、樹脂成形品にナットの端面が露出されて埋設される樹脂成形品用インサートナットは既に知られており（特許文献１参照。）、該特許文献１には、インサートナットのねじ孔への溶融樹脂の流入を防止して歩留まりのよい樹脂成形品を製造できる樹脂成形品用インサートナットが記載されている。
【０００３】
本願出願人も此種樹脂成形品用インサートナットを既に製造しており、該樹脂成形品用インサートナットについて説明する。
【０００４】
本願出願人の製造する樹脂成形品用インサートナットは、略筒状体に形成され、外周一端部に大径の頭部が形成されると共に、他端部に小径の先端部が形成され、且つ、該頭部及び先端部と所定間隔離間して、外周中央部に所定幅を有する２つのローレット部が互いに所定間隔離間して形成され、更に、内周部には雌ねじが刻設されている。
【０００５】
而して、該樹脂成形品用インサートナットを製造する場合は、真鍮合金の棒状体を用い、該棒状体の外周部の所定位置を縮径する如く所定形状に切削し、且つ、所定位置に複数の環状凹溝を形成することにより、頭部と、２つのローレット部と、先端部を形成し、次に、該ローレット部にローレット加工を施して所定長さで切り落とし、更に、切り落とした加工品の内周部に孔明けをした後、雌ねじを刻設して樹脂成形品用インサートナットを完成する。
【０００６】
尚、前記ローレット加工は、外周面軸方向に複数の歯形が並行に形成された丸形ダイスを前述の切削された棒状体の外周部に圧接させて該外周部に軸方向に延びる複数の凹溝を形成してローレット部を形成するものである。
【０００７】
然しながら、本願出願人の製造する樹脂成形品用インサートナットは、切削、ローレット加工、切り落とし、孔明け、及び、雌ねじの刻設等の工程を通して製作されるため、作業工程が複雑で作業時間がかかり、大量生産も困難であり、又、製品の精度のばらつき発生の虞もあった。
【０００８】
更に、前記樹脂成形品用インサートナットは真鍮合金を用いるため、該真鍮合金には鉛が含まれており、安全上問題があった。
【０００９】
更に又、前記ローレット加工は、丸形ダイスを前記棒状体の外周部に圧接させて加工するため、該棒状体が一回転した後、形成されたローレットを丸形ダイスの歯で噛みこみ破損させる虞があった。
【００１０】
そこで、製造が容易で、大量生産に適し、且つ、鉛を含有しない樹脂成形品用インサートナットを得るために解決すべき技術的課題が生じてくるのであり、本発明はこの課題を解決することを目的とする。
【００１１】
【特許文献１】
特開２００２−２３４０４７号公報  （第１−４頁、第１−３図）
【００１２】
【課題を解決するための手段】
本発明は上記目的を達成するために提案されたものであり、樹脂成形品にナットの端面を露出させて埋設される樹脂成形品用インサートナットであって、該インサートナットは亜鉛又は亜鉛合金を用いてダイカスト加工によって成形され、且つ、成形されたダイカスト成形品の内周部に雌ねじが刻設されて製造される樹脂成形品用インサートナットの製造方法、
及び、上記インサートナットはダイカスト加工によって外周面にローレット部が形成される樹脂成形品用インサートナットの製造方法を提供するものである。
【００１３】
【発明の実施の形態】
以下、本発明の一実施の形態を図１乃至図４に従って詳述する。図１に於て、１は亜鉛又は亜鉛合金を材料としてダイカスト加工によって形成される樹脂成形品用インサートナットのダイカスト成形品であり、該ダイカスト成形品１は、略筒状体に形成され、外周一端部に所定幅を有する大径の頭部２が形成されると共に、他端部に該頭部２よりも小径で所定幅を有する先端部３が形成され、該頭部２と先端部３の中間部に該頭部２よりも小径で該先端部３よりも大径の所定幅を有する２つのローレット部４，５が所定間隔離間して形成され、前記頭部２と、前記ローレット部４と，前記ローレット部５と、前記先端部３間には夫々所定幅の環状溝６，７，８が形成される。そして、該ローレット部４，５には軸方向に延びる複数の凹溝９，９…が全周に及んで形成される。
【００１４】
次に、前記ダイカスト成形品１の内周部に図２に示す如く雌ねじ部１０が刻設されて樹脂成形品用インサートナット１１が完成する。
【００１５】
図３に於て、１２は他の樹脂成形品用インサートナットであり、該樹脂成形品用インサートナット１２は、亜鉛又は亜鉛合金を材料としてダイカスト加工によって略筒状体に形成され、外周中央部に複数本のヘリカル形状の凹溝１３，１３…を有する所定幅のローレット部１４が形成され、その後、内周部に雌ねじ部１５が刻設されたものである。
【００１６】
このように、ダイカスト加工を用いることにより種々の形状の樹脂成形品用インサートナットを製造することができる。
【００１７】
図４は複数の前記インサートナット１２，１２…が合成樹脂成形品１６のボス部１７，１７……に埋め込まれて成形された状態を示し、該インサートナット１２，１２…の端面部が該ボス部１７，１７…の上端部に露出するように埋め込まれている。尚、図に於て、１８，１８…はリブであり、１９，１９…は孔、２０は突設部、２１，２１…は突起である。
【００１８】
而して、前記合成樹脂成形品１６を製造する場合は、前記インサートナット１２，１２…を該合成樹脂成形品１６の射出成形用金型内にセットして、該金型によって射出成形を行うと、該インサートナット１２，１２…が組み込まれて一体化された合成樹脂成形品１６を得ることができる。
【００１９】
この時、前記ローレット部（図３に於て１４）の凹溝（図３に於て１３，１３…）に前記合成樹脂成形品１６の樹脂が流入して前記インサートナット１２，１２…は該合成樹脂成形品１６に強固に一体化される。
【００２０】
斯くして、前記インサートナット１１又は１２は、前述した如く、亜鉛又は亜鉛合金を材料としてダイカスト加工によって形成されるので、ローレット部４，５又は１４の形成も容易であり、該インサートナット１１又は１２のダイカスト成形品を、例えば、２０個同時に製造することも可能である等、製造が極めて容易で、製造時間が短縮できるため、大量生産が可能になり、且つ、製品の精度も向上し、不良品も殆ど発生しない。
【００２１】
更に、該インサートナット１１及び１２は鉛を含有しないため、安全性が向上する。
【００２２】
尚、本発明は、本発明の精神を逸脱しない限り種々の改変を為すことができ、そして、本発明が該改変されたものに及ぶことは当然である。
【００２３】
【発明の効果】
本発明は上記一実施の形態に詳述したように、請求項１記載の発明は樹脂成形品にナットの端面を露出させて埋設される樹脂成形品用インサートナットであって、該インサートナットは亜鉛又は亜鉛合金を用いてダイカスト加工によって成形され、且つ、成形されたダイカスト成形品の内周部に雌ねじが刻設されて製造されるので、製造が極めて容易で、製造時間が短縮できるため、大量生産が可能になり、製品の精度も向上する。更に、該インサートナットは鉛を含有しないため、安全性が向上する。
【００２４】
又、請求項２記載の発明は、上記インサートナットはダイカスト加工によって外周面にローレット部が形成されるので、請求項１記載の発明の効果に加え、該ローレット部によって該インサートナットを樹脂成形品に強固に一体化させることができる共に、該ローレット部の形成も容易である等、正に著大なる効果を奏する発明である。
【図面の簡単な説明】
【図１】（ａ）本発明の一実施の形態を示し、樹脂成形品用インサートナットのダイカスト成形品の正面図。
（ｂ）本発明の一実施の形態を示し、樹脂成形品用インサートナットのダイカスト成形品の側面図。
（ｃ）本発明の一実施の形態を示し、樹脂成形品用インサートナットのダイカスト成形品の背面図。
【図２】（ａ）本発明の一実施の形態を示し、樹脂成形品用インサートナットの正面図。
（ｂ）本発明の一実施の形態を示し、樹脂成形品用インサートナットの側面図。
（ｃ）本発明の一実施の形態を示し、樹脂成形品用インサートナットの背面図。
【図３】（ａ）本発明の他の実施の形態を示し、樹脂成形品用インサートナットの正面図。
（ｂ）本発明の他の実施の形態を示し、樹脂成形品用インサートナットの側面図。
（ｃ）本発明の他の実施の形態を示し、樹脂成形品用インサートナットの背面図。
【図４】図３に示す樹脂成形品用インサートナットが埋設された樹脂成形品の平面図。
【符号の説明】
４，５，１４      ローレット部
１０，１５          雌ねじ部
１１，１２          インサートナット
【図１】
2004223535.tif 000003
【図２】
2004223535.tif 000004
【図３】
2004223535.tif 000005
【図４】
2004223535.tif 000006